(57)【要約】【課題】アプリケーションの表示態様に応じて当該アプリケーションに付随する音の音場を設定することが可能なアプリケーション制御装置を提供すること。【解決手段】アプリケーションを表示すると共に該アプリケーションに付随する音声を出力するアプリケーション制御装置１であって、アプリケーションを表示する表示手段１２と、音場を構成して音声を出力する音声出力手段８０と、を備え、該音声出力手段８０は、前記表示手段１２におけるアプリケーションの表示態様に応じて、該アプリケーションに付随する音声の音場を設定することを特徴とする、アプリケーション制御装置１。【選択図】図１
2007310236.tif 000002
【特許請求の範囲】
【請求項１】
アプリケーションを表示すると共に該アプリケーションに付随する音声を出力するアプリケーション制御装置であって、
前記アプリケーションを表示する表示手段と、
音場を構成して音声を出力する音声出力手段と、を備え、
該音声出力手段は、前記表示手段におけるアプリケーションの表示態様に応じて、該アプリケーションに付随する音声の音場を設定する、
ことを特徴とする、アプリケーション制御装置。
【請求項２】
請求項１に記載のアプリケーション制御装置であって、
前記表示手段は、３次元空間を模擬した背景上に前記アプリケーションを表示する手段である、
アプリケーション制御装置。
【請求項３】
請求項１又は２に記載のアプリケーション制御装置であって、
前記音声出力手段は、前記表示手段におけるアプリケーションの表示サイズに応じて、該アプリケーションに付随する音声の音量を変化させる、
ことを特徴とする、アプリケーション制御装置。
【請求項４】
請求項１ないし３のいずれかに記載のアプリケーション制御装置であって、
前記音声出力手段は、前記表示手段におけるアプリケーションの表示位置が所定領域外である場合には、該アプリケーションの表示位置が該所定領域内である場合に比して、該アプリケーションに付随する音声を小さく出力する、
ことを特徴とする、アプリケーション制御装置。
【請求項５】
請求項１ないし４のいずれかに記載のアプリケーション制御装置であって、
前記表示手段は、表示画像を有するアプリケーションについては、該表示画像を表示し、表示画像を有しないアプリケーションについては、該表示画像を有しないアプリケーションに割り当てられた所定画像を表示する手段である、
アプリケーション制御装置。
【請求項６】
請求項１ないし５のいずれかに記載のアプリケーション制御装置であって、
前記表示手段は、視聴空間を模擬した背景上に前記アプリケーションを表示する手段であり、
前記音声出力手段は、該表示手段における前記アプリケーションの表示位置に応じて、該アプリケーションに付随する音声の音場を設定する、
ことを特徴とする、アプリケーション制御装置。
【請求項７】
車両に搭載される請求項６に記載のアプリケーション制御装置であって、
前記視聴空間は、車室内空間である、
アプリケーション制御装置。
【請求項８】
請求項６又は７に記載のアプリケーション制御装置であって、
前記表示手段は、前記視聴空間に対する視点を変更可能な手段である、
アプリケーション制御装置。
【請求項９】
複数のアプリケーションを同時に制御可能な、請求項１ないし８のいずれかに記載のアプリケーション制御装置であって、
前記表示手段は、前記複数のアプリケーションを同時に表示する手段であり、
前記音声出力手段は、各アプリケーションの表示態様に応じて設定される、各アプリケーションに付随する音声の音場を合成して音声を出力する手段である、
アプリケーション制御装置。
【発明の詳細な説明】
【技術分野】
【０００１】
本発明は、アプリケーションを表示すると共にアプリケーションに付随する音を出力するアプリケーション制御装置に関する。
【背景技術】
【０００２】
従来、この種の画像や音声を出力する装置としては、ディスプレイ上に音場を模擬した音場模式図を表示し、この音場模式図上で音場を視覚的に設定できるようにした出力装置が知られている（例えば、特許文献１参照）。
【特許文献１】特開１０−６９２７９号公報
【発明の開示】
【発明が解決しようとする課題】
【０００３】
近年、画像とこれに付随する音声を出力する種々のアプリケーションがコンピューター等のハードウエア上で広く利用されている。しかしながら、上記従来の装置は、音場の設定をこうしたアプリケーションに対応付けたものではない。従って、アプリケーションの表示態様に応じて音場を設定するといった制御を行なうことができない。
【０００４】
本発明はこのような課題を解決するためのものであり、アプリケーションの表示態様に応じて当該アプリケーションに付随する音の音場を設定することが可能なアプリケーション制御装置を提供することを、主たる目的とする。
【課題を解決するための手段】
【０００５】
上記目的を達成するための本発明の一態様は、アプリケーションを表示すると共にアプリケーションに付随する音声を出力するアプリケーション制御装置であって、アプリケーションを表示する表示手段と、音場を構成して音声を出力する音声出力手段と、を備え、音声出力手段は、表示手段におけるアプリケーションの表示態様に応じて、アプリケーションに付随する音声の音場を設定することを特徴とするものである。
【０００６】
この本発明の一態様によれば、アプリケーションの表示位置や表示サイズ等の表示態様に応じてアプリケーションに付随する音の音場を設定するから、音場の設定を直感的な操作により行なうことができる。この結果、特に複数のアプリケーションを同じ表示画面上に表示する場合に、重要性の高いアプリケーションを大きく表示すると共に当該アプリケーションに付随する音の音量を大きくする等の制御を簡易に行なうことが可能となる。
【０００７】
また、本発明の一態様において、表示手段は、好ましくは、３次元空間を模擬した背景上に前記アプリケーションを表示する手段である。
【０００８】
また、本発明の一態様において、音声出力手段は、好ましくは、表示手段におけるアプリケーションの表示サイズに応じて、アプリケーションに付随する音声の音量を変化させる。
【０００９】
また、本発明の一態様において、音声出力手段は、好ましくは、表示手段におけるアプリケーションの表示位置が所定領域外である場合には、アプリケーションの表示位置が所定領域内である場合に比して、アプリケーションに付随する音声を小さく出力する。
【００１０】
また、本発明の一態様において、表示手段は、好ましくは、表示画像を有するアプリケーションについては、この表示画像を表示し、表示画像を有しないアプリケーションについては、割り当てられた所定画像を表示する手段である。
【００１１】
また、本発明の一態様において、表示手段は、視聴空間を模擬した背景上にアプリケーションを表示する手段であり、音声出力手段は、表示手段におけるアプリケーションの表示位置に応じて、アプリケーションに付随する音声の音場を設定する。この場合、視聴空間は、例えば、車室内空間である。また、表示手段は、好ましくは、視聴空間に対する視点を変更可能な手段である。
【００１２】
また、本発明の一態様は、例えば、複数のアプリケーションを同時に制御可能なアプリケーション制御装置であって、表示手段は、複数のアプリケーションを同時に表示する手段であり、音声出力手段は、各アプリケーションの表示態様に応じて設定される、各アプリケーションに付随する音声の音場を合成して音声を出力する手段である。
【発明の効果】
【００１３】
本発明によれば、アプリケーションの表示態様に応じて当該アプリケーションに付随する音の音場を設定することが可能なアプリケーション制御装置を提供することができる。
【発明を実施するための最良の形態】
【００１４】
以下、本発明を実施するための最良の形態について、添付図面を参照しながら実施例を挙げて説明する。
【実施例】
【００１５】
以下、図１〜８を用いて、本発明に係るアプリケーション制御装置の一実施例について説明する。図１は、本発明の一実施例に係る、車両に搭載されたアプリケーション制御装置１の全体構成の一例を示す図である。アプリケーション制御装置１は、主要な構成として、マルチディスプレイ１０と、ナビゲーション装置２０と、ＤＶＤチェンジャー／チューナー３０と、ラジオアンテナ４０と、入力手段としてのステアリングスイッチ５０、リヤコントローラー６０、及び音声入力ユニット７０と、スピーカーユニット８０と、を備える。なお、図中太線矢印は、情報通信の流れを表す。
【００１６】
マルチディスプレイ１０は、例えば、ディスプレイパネル１２と、ディスプレイパネル１２の周辺に設置されたパネルスイッチ１４と、ディスプレイパネル１２の表示内容及びスピーカーユニット８０からの音声出力態様を決定するメインコンピューター１６と、を備える。
【００１７】
ディスプレイパネル１２は、グラフィックシステムとしてＶＧＡ（Ｖｉｄｅｏ  Ｇｒａｐｈｉｃｓ  Ａｒｒａｙ）を採用して動画を含む画像表示を行なうと共に、タッチパネルとしてユーザーによる各種の入力操作を可能に構成されたディスプレイ装置である。ディスプレイパネル１２は、その表面にユーザーがタッチ操作したことによる電圧の変化を検出して、タッチ操作された位置を認識する。ディスプレイパネル１２及びパネルスイッチ１４になされた入力操作は、メインコンピューター１６に送信される。
【００１８】
メインコンピューター１６は、例えば、ＣＰＵを中心としてＲＯＭやＲＡＭ等がバスを介して接続されたコンピューターユニットであり、タイマーやカウンター、通信ポート等を備える。メインコンピューター１６は、ディスプレイパネル１２に表示される表示画像及び、スピーカーユニット８０から出力される音声を共に制御する。詳しくは、後述する。
【００１９】
ナビゲーション装置２０は、例えば、ハードディスクやＤＶＤ、ＣＤ−ＲＯＭ等の記憶媒体上に地図データを保有する地図データベース２２と、統合アンテナ２４と、光ビーコンアンテナ２６と、ナビゲーション装置２０全体を制御するナビゲーションコンピューター２８と、を備える。
【００２０】
統合アンテナ２４は、例えば、インストルメントパネル中央部裏側に配設され、ＧＰＳアンテナ、ＶＩＣＳ用電波ビーコンアンテナ、及びＥＣＴ用アンテナが統合されたアンテナユニットである。光ビーコンアンテナ２６は、例えば、インストルメントパネル上面左側に配設され、光ビーコンアンテナ路上器から交通情報（わが国においては、ＶＩＣＳ情報）等を受信する。統合アンテナ２４及び光ビーコンアンテナ２６により受信された各種信号は、ナビゲーションコンピューター２８に送信される。
【００２１】
ナビゲーションコンピューター２８は、例えば、上記メインコンピューター１６と同様のハードウエア構成を有するコンピューターユニットである。ナビゲーションコンピューター２８は、ＡＶＣ−ＬＡＮ等の通信線によりメインコンピューター１６と接続されており、ディスプレイパネル１２やパネルスイッチ１４、ステアリングスイッチ４０、リヤコントローラー５０、音声入力ユニット６０になされた入力操作により、ナビゲーション装置２０としての表示画像（目的地検索表示や、目的地設定表示、現在位置の表示を含む経路案内表示、交通情報表示等）及びこれに付随する音声を決定し、これらをメインコンピューター１６に送信する。
【００２２】
ＤＶＤチェンジャー／チューナー３０は、例えば、ＤＶＤやＣＤを再生するデッキ部と、ラジオアンテナ４０が受信した受信波から音声出力情報を生成するチューナー部が一体に形成されている。ラジオアンテナ４０は、例えば、バックウインドゥガラスにプリントされたアンテナであり、ＡＭ電波及びＦＭ電波を受信する。ＤＶＤチェンジャー／チューナー３０は、ＤＶＤの再生画像及びこれに付随する音声や、ＣＤの再生音、ラジオの音声をメインコンピューター１６に送信する。
【００２３】
ステアリングスイッチ５０は、例えば、ステアリングパッドの一部に配設され、音量の調整や各種モードの切替えを可能にしている。リヤコントローラー６０は、例えば、リヤセンターアームレストに配設され、音量の調整やＤＶＤチェンジャー／チューナー３０のチューニング操作を可能にしている。また、音声入力ユニット７０は、例えば、ステアリングパッドの一部に配設されたトークスイッチ及び車室天井部に配設された音声認識用マイクから構成され、トークスイッチが操作されることにより音声入力モードに切替えられ、ナビゲーション装置２０等の機器に対する入力操作を可能にしている。これらの入力手段により、ユーザーによる多種に亘る入力操作が可能となる。
【００２４】
スピーカーユニット８０は、例えば、図２に示す如く、パワーアンプリファイヤー８１と、インストルメントパネル上面中央部に配設されたセンタースピーカー８２と、後部座席後方中央部に配設されたウーハー８３と、インストルメントパネル上面左右端にそれぞれ配設された右ツイーター８４ａ・左ツイーター８４ｂと、左右のフロントドアの付け根付近に配設された右フロントスピーカー８５ａ・左フロントスピーカー８５ｂと、左右のリヤドアの付け根付近に配設された右リヤスピーカー８６ａ・左リヤスピーカー８６ｂと、を備える。スピーカーユニット８０は、このように乗員席の周囲に配設された各スピーカーを用いて、３次元（前後・左右・高さ）の音場を構成することが可能である（もとより、２次元（前後・左右）の音場を構成することも可能である）。
【００２５】
以下、このようなハードウエア構成を前提としてメインコンピューター１６が実行する、本発明の特徴的な表示画像及び音声の制御について説明する。
【００２６】
メインコンピューター１６は、このような構成の車載装置において通常行なわれている如く、全画面表示の切替えによって表示画像や音声のソース（例えば、上記ナビゲーション装置２０による経路案内、ＤＶＤチェンジャー／チューナー３０によるＤＶＤやＣＤの再生又はラジオ放送等）を変化させる機能を有する他、当該各ソースをアプリケーションとして取り扱うと共に画面上の一部にウインドウを設けて、当該ウインドウ内でアプリケーションを実行する機能を有する（以下、この機能が実行される制御モードを、アプリケーション制御モードと称する）。このアプリケーション制御モードでは、車室内空間を擬した背景空間におけるアプリケーションの表示態様（例えば、表示位置及び表示サイズ）に応じてアプリケーションに付随する音声の音量や音場が設定される。また、アプリケーション制御モードでは、複数のアプリケーションを同時に実行する、例えば、画像を重畳表示すると共に音声を重ねて出力することも可能である。アプリケーション制御モードを実行するためにメインコンピューター１６により実現される主要な機能ブロックは、図３に示す如く、空間情報設定部１６Ａと、スケーリングパラメータ変換部１６Ｂと、音量・音場パラメータ変換部１６Ｃと、からなる。また、メインコンピューター１６は、ＲＯＭ等の記憶媒体上に、３Ｄオブジェクト情報１６Ｄを保持している。
【００２７】
空間情報設定部１６Ａは、上記各入力手段になされた入力操作に基づいて、背景空間における各アプリケーションの座標、及び大きさを設定する。そして、これらの設定情報をスケーリングパラメータ変換部１６Ｂ、及び音量・音場パラメータ変換部１６Ｃに提供する。なお、背景空間はユーザーの入力操作により視点を変更することが可能であり、複数の視点から見た背景空間が３Ｄオブジェクト情報１６Ｄに格納されている。
【００２８】
スケーリングパラメータ変換部１６Ｂは、空間情報設定部１６Ａの設定情報に基づいて、各アプリケーションのディスプレイパネル１２における表示位置、及び表示サイズを決定し、これに従って各アプリケーションが表示されるようにディスプレイパネル１２を制御する。なお、本実施例では、アプリケーションの表示が重複する部分については、表示サイズの大きいアプリケーションが優先的に（前面に）表示されるように制御される。
【００２９】
音量・音場パラメータ変換部１６Ｃは、空間情報設定部１６Ａの設定情報に基づいて、各アプリケーションに付随する音声の音量及び音場を決定し、これらを合成した音声が出力されるようにスピーカーユニット８０の各スピーカーを制御する。この音場の決定及び合成に関しては既に種々の手法が知られており、詳細な説明は省略するが、例えば、車室内空間を擬した背景空間におけるアプリケーションの位置に定位する仮想音源を設定し、これに従って出力すべき音声をスピーカー毎に合算する等の手法により、行なうことができる。
【００３０】
次に、アプリケーション制御モードにおける典型的な処理の流れについて説明する。図４は、アプリケーション制御モードが選択された際の初期画面の一例を示す図である。図示する如く、車室内空間を擬した領域Ａが背景空間として表示され、領域Ａ外に各アプリケーションの起動を可能にしたアイコンが表示されている。このアイコンを例えば２回タッチすることにより、各アプリケーションが起動される。
【００３１】
図５は、ＤＶＤ再生に係るアプリケーションを起動した様子を示す図である。図示する如く、アプリケーションはまず領域Ａ外で起動され、この段階では、当該アプリケーションに係る音声は出力されない。（なお、無音で起動するのに限られず、比較的小さい音声を出力する制御を行なってもよい。）
そして、何らかの入力操作により、起動したアプリケーションを領域Ａに移動させると、その位置に応じた音場を構成して、アプリケーションに付随する音声が出力される。この場面の一例を、図６に示す。図示する如く、助手席近辺にアプリケーションが移動されたため、左ツイーター８４ｂや左フロントスピーカー８５ｂが中心となって当該アプリケーションに係る音声を出力するように、音量・音場パラメータ変換部１６Ｃがスピーカーユニット８０を制御する。また、別の操作により、アプリケーションの表示ウインドウを拡大／縮小すると、これに応じて音量が調節される。なお、このアプリケーションの移動や拡大／縮小は、起動時に限られず、任意のタイミングで行なうことができる。アプリケーションを領域Ａの外に移動させることも可能である。こうすることにより、アプリケーションの表示内容を無音の状態でチェックする（例えば、ＤＶＤ再生に係る広告宣伝部分を早送りでスキップする場合等）ような利用態様が可能となる。
【００３２】
図７は、同時に複数のアプリケーションを起動した場面の一例を示す図である。図示する如く、領域Ａ内の運転席付近ではナビゲーション装置２０による経路案内画面が、助手席付近ではＤＶＤの再生画面が、後部座席付近ではＦＭのアイコンが、それぞれ表示されている。従って、ナビゲーション装置２０による経路案内に係る音声は右ツイーター８４ａや右フロントスピーカー８５ａが中心となって出力し、ＤＶＤ再生に係る音声は左ツイーター８４ｂや左フロントスピーカー８５ｂが中心となって出力し、ＦＭ放送の音声は右リヤスピーカー８６ａ・左リヤスピーカー８６ｂが中心となって出力するように制御される。また、それぞれの表示サイズに応じて音量が調節されている。なお、ＣＤやＡＭ／ＦＭ放送については画像が存在しないため、領域Ａにおいてもアイコン自体を拡大／縮小等して表示される。
【００３３】
このように、アプリケーション制御モードにおいては、背景空間におけるアプリケーションの表示態様に応じてアプリケーションに付随する音声の音場や音量が設定される。従って、ユーザーによる直感的な操作に基づいて、画像表示と音声の出力態様を同時に設定及び変更することができる。また、複数のアプリケーションを同時に起動させて表示すると共に、各アプリケーションに対して設定された音声の音場を合成して同時に出力するから、図７で例示した利用法の如く、各ユーザーのニーズに応じて複数のアプリケーションを同時に視聴することが可能となる。
【００３４】
また、上記背景空間は、視点を変更することも可能である。例えば、図８に例示する如く、車室内を俯瞰的に見た背景空間を用いてもよい。こうすることにより、上記例示した車室内空間の前後・左右の音場設定に加えて、上下（高さ）方向の音場設定をすることも可能となる。なお、この際に、前述した如く３Ｄオブジェクト情報１６Ｄに格納された情報が用いられる。
【００３５】
また、制御対象のアプリケーションとして実施例で例示した、ナビゲーション装置２０の経路案内や、ＤＶＤ再生、ＣＤ再生、ＡＭ／ＦＭ放送は、単なる一例であり、この他にもテレビ放送やカーオーディオ等、如何なるアプリケーションを加えてもよい。また、これらのうち一部をアプリケーションとして制御するものであってもよい。
【００３６】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００３７】
例えば、上記実施例は、車両に搭載されて車載アプリケーションの制御を行なうものとして例示したが、本来、より簡易な構成により実現されるものである。すなわち、液晶ディスプレイやホログラム等の表示装置と、音場を構成することが可能なスピーカー（複数でも単一でもよい）と、コンピューター等の統合制御装置があれば実現できる。
【００３８】
この場合、表示装置における背景空間は、上記実施例の如き車室内空間でなくともよい。例えば、リスニングルームを模擬した空間であってもよいし、音場をイメージした球体等であってもよい。
【００３９】
また、表示サイズの大きいアプリケーションをより前面に表示するものとして例示したが、アプリケーションの重要度に基づいて自動的に前面／背面表示を切替えてもよい。例えば、ナビゲーション装置２０の画面については、経路ついての音声案内が行なわれる際のみ前面に表示する（又は表示サイズを自動的に拡大する）ような制御が行なわれてもよい。
【産業上の利用可能性】
【００４０】
本発明は、少なくとも音声が付随したアプリケーションを制御する装置に利用できる。
【図面の簡単な説明】
【００４１】
【図１】図１は、本発明の一実施例に係る、車両に搭載されたアプリケーション制御装置１の全体構成の一例を示す図である。
【図２】スピーカーユニット８０を構成するスピーカー等の配置の一例を示す図である。
【図３】アプリケーション制御モードを実行するためにメインコンピューター１６により実現される主要な機能ブロックの一例を示す図である。
【図４】アプリケーション制御モードが選択された際の初期画面の一例を示す図である。
【図５】ＤＶＤ再生に係るアプリケーションを起動した様子を示す図である。
【図６】起動したアプリケーションの位置に応じた音場を構成して、アプリケーションに付随する音声が出力される場面の一例を示す図である。
【図７】同時に複数のアプリケーションを起動した場面の一例を示す図である。
【図８】車室内を俯瞰的に見た背景空間を用いた様子を占めす図である。
【符号の説明】
【００４２】
１  アプリケーション制御装置
１０  マルチディスプレイ
１２  ディスプレイパネル
１４  パネルスイッチ
１６  メインコンピューター
１６Ａ  空間情報設定部
１６Ｂ  スケーリングパラメータ変換部
１６Ｃ  音量・音場パラメータ変換部
１６Ｄ  ３Ｄオブジェクト情報
２０  ナビゲーション装置
２２  地図データベース
２４  統合アンテナ
２６  光ビーコンアンテナ
２８  ナビゲーションコンピューター
３０  ＤＶＤチェンジャー／チューナー
４０  ラジオアンテナ
５０  ステアリングスイッチ
６０  リヤコントローラー
７０  音声入力ユニット
８０  スピーカーユニット
８１  パワーアンプリファイヤー
８２  センタースピーカー
８３  ウーハー
８４ａ  右ツイーター
８４ｂ  左ツイーター
８５ａ  右フロントスピーカー
８５ｂ  左フロントスピーカー
８６ａ  右リヤスピーカー
８６ｂ  左リヤスピーカー
【図１】
2007310236.tif 000003
【図２】
2007310236.tif 000004
【図３】
2007310236.tif 000005
【図４】
2007310236.tif 000006
【図５】
2007310236.tif 000007
【図６】
2007310236.tif 000008
【図７】
2007310236.tif 000009
【図８】
2007310236.tif 000010